(57)【要約】【課題】簡明な構成で不正行為に対する抗力を高めた遊技機の不正防止装置を提供する。【解決手段】不正防止装置ＦＳは、遊技機ＰＭの全閉状態において外枠１、前枠２、ガラス扉５が前後に重なる重複領域に、一列に並んで第１磁石５１、第２磁石５２および磁気検出器５５が設けられる。全閉状態では二つの磁石５１，５２および磁気検出器５５が一列に直列配置された状態で検出される全閉磁力が検出され、前枠２またはガラス扉５が開放された扉開放状態では、全閉磁力よりも低い磁力が検出される。警報部は、磁気検出器５５において検出される磁力が全閉磁力未満となったときに警報信号を出力する。【選択図】図５
2010099142.tif 000002
【特許請求の範囲】
【請求項１】
第１部材と、前記第１部材に開閉可能に設けられた第２部材と、前記第２部材に開閉可能に設けられた第３部材とを備え、前記第１部材、前記第２部材および前記第３部材が前後に並んで閉止連結された全閉状態で遊技に供される遊技機において、
前記全閉状態において前記第１、第２、第３部材が前後に重なる重複領域に一列に並んで配設され、前記第１、第２、第３部材におけるいずれか一の部材に取り付けられた磁気検出器、並びに他の二つの部材に各々取り付けられた第１磁石および第２磁石と、
前記磁気検出器において検出される磁力が、前記第１磁石、前記第２磁石および前記磁気検出器が一列に並んだ直列状態で検出される磁力未満となったときに警報信号を出力する警報手段とを備えたことを特徴とする遊技機の不正防止装置。
【請求項２】
前記磁気検出部が前記第２部材に設けられることを特徴とする請求項１に記載の遊技機の不正防止装置。
【請求項３】
前記第１磁石と前記第２磁石は、発生する磁力が異なる磁石であることを特徴とする請求項１または２に記載の遊技機の不正防止装置。
【請求項４】
前記警報手段は、前記磁気検出器において検出される磁力に基づいて、前記第２部材が開放されたと判断されるときに第２部材開放の警報信号を出力し、前記第１部材が開放されたと判断されるときに第１部材開放の警報信号を出力するように構成したことを特徴とする請求項１〜３のいずれか一項に記載の遊技機の不正防止装置。
【請求項５】
前記警報手段は、前記磁気検出器において検出される磁力が、前記第１磁石、前記第２磁石および前記磁気検出器が一列に並んだ直列状態で検出される磁力以上の予め設定された所定磁力を超えたときに、磁力異常の警報信号を出力するように構成したことを特徴とする請求項１〜４のいずれか一項に記載の遊技機の不正防止装置。
【請求項６】
前記第１部材、前記第２部材および前記第３部材には、
前記全閉状態において前記第１磁石、前記第２磁石および前記磁気検出器が一列に並ぶように前記第１、第２磁石および前記磁気検出器の取り付け位置が設定されたひと組の磁気検出取付部が、複数ヵ所に設けられることを特徴とする請求項１〜５のいずれか一項に記載の遊技機の不正防止装置。
【発明の詳細な説明】
【技術分野】
【０００１】
本発明は、第１部材、第２部材および第３部材が相互に開閉可能に設けられ、これらの第１、第２、第３部材が前後に並んで閉止連結された状態で遊技に供される遊技機の不正防止装置に関する。
【背景技術】
【０００２】
上記のように第１、第２、第３部材が相互に開閉可能に設けられ、第１〜第３部材が閉止連結された状態で遊技に供される遊技機の代表例として、パチンコ機やアレンジボール機などの遊技機がある。パチンコ機では、遊技島と称される遊技施設の設置枠台に固定される外枠に遊技機本体を構成する前枠が横開き開閉可能に設けられ、遊技盤を覆うガラス扉が前枠に対して前方に横開き開閉可能に設けられている。パチンコ機は、前枠が外枠に閉止され、ガラス扉が前枠に閉止されて、外枠、前枠およびガラス扉が前後に並んで閉止連結された全閉状態で、ダブル状と称される施錠装置により閉鎖施錠され遊技に供されるようになっている。
【０００３】
ところが、このような遊技機ではセルやピアノ線、はんだごて等を用いてガラス扉や前枠を開放し、不正に利得を獲得しようとする不正行為が後を絶たない。このため、遊技機には、ガラス扉や前枠が開放されたときにその状態を検出し、警報信号を出力する不正防止装置が設けられている（例えば特許文献１、特許文献２を参照）。
【特許文献１】特開平１０−２２５５６４号公報
【特許文献２】特開２００８−１４２１３５号公報
【発明の開示】
【発明が解決しようとする課題】
【０００４】
ところが、ガラス扉や前枠の開閉状態を検出する検出スイッチは、一般的に、ガラス扉等の開閉に伴う変位を機械的に検出するリミットスイッチが用いられており、このような機械的な検出スイッチは、検出レバーさえ押えてしまえば検出対象が閉まっているような状態を容易に作り出すことができる。このため、ガラス扉を開放する際に、隙間からセルや金属薄板を挿入して検出レバーを押さえ、スイッチ接点を反転させずに不正開放したり、ガラス扉を開放した後、遊技施設の係員が警報信号に気付く前に指で検出レバー部を押さえ込んで不正開放するような事態を防止し難いという課題があった。
【０００５】
また、従来の不正防止装置では、外枠に対する前枠の開閉状態を検出する前枠開放検出スイッチと、前枠に対するガラス扉の開閉状態を検出するガラス扉開放検出スイッチとが、それぞれ独立して設けられており、部品点数や配線工数がかかるという課題があった。
【０００６】
本発明は、このような課題に鑑みてなされたものであり、簡明な構成で不正行為に対する抗力を高めた遊技機の不正防止装置を提供することを目的とする。
【課題を解決するための手段】
【０００７】
上記目的達成のため、本発明は、第１部材（例えば、実施形態における外枠１）と、この第１部材に開閉可能に設けられた第２部材（例えば、実施形態における前枠２）と、第２部材に開閉可能に設けられた第３部材（例えば、実施形態におけるガラス扉５）とを備え、第１部材、第２部材および第３部材が前後に並んで閉止連結された全閉状態で遊技に供される遊技機の不正防止装置である。この不正防止装置は、前記全閉状態において第１、第２、第３部材が前後に重なる重複領域に一列に並んで配設される第１磁石、第２磁石および磁力検出器と、警報手段（例えば、実施形態における警報部６０）とからなり、磁気検出器が第１、第２、第３部材のうちいずれか一の部材に取り付けられ、第１磁石および第２磁石が他の二つの部材に各々取り付けられて、警報手段は磁気検出器において検出される磁力が第１磁石、第２磁石および磁気検出器が一列に並んだ直列状態で検出される磁力未満となったときに警報信号を出力するように構成される。
【０００８】
本発明において、磁気検出部は第２部材に設けられることが好ましく、第１磁石と第２磁石は、発生する磁力が異なる磁石であることが好ましい。
【０００９】
なお、警報手段は、磁気検出器において検出される磁力に基づいて、第２部材が開放されたと判断されるときに第２部材開放の警報信号を出力し、第１部材が開放されたと判断されるときに第１部材開放の警報信号を出力するように構成することが望ましい。
【００１０】
また、警報手段は、磁気検出器において検出される磁力が、第１磁石、第２磁石および磁気検出器が一列に並んだ直列状態で検出される磁力以上の予め設定された所定磁力（例えば、実施形態における磁力異常比較値Ｓm）を超えたときに、磁力異常の警報信号を出力するように構成することも望ましい。
【００１１】
さらに、第１部材、第２部材および第３部材には、全閉状態において第１磁石、第２磁石および磁気検出器が一列に並ぶように第１、第２磁石および磁気検出器の取り付け位置が設定されたひと組の磁気検出取付部が、複数ヵ所に設けられることが望ましい。
【発明の効果】
【００１２】
本発明の不正防止装置は、全閉状態において第１、第２、第３部材が重なる重複領域に一列に並んで第１磁石、第２磁石および磁気検出器が設けられており、遊技機が全閉状態であるときには、二つの磁石および磁気検出器が一列に直列配置された状態の磁力が磁気検出器において検出される。このとき検出される磁力を便宜的に「全閉磁力」という。一方、第２部材、第３部材の少なくともいずれか一方が開放されると、これらの直列配置が崩れ、磁気検出器において検出される磁力が低下する。警報手段は、磁気検出器において検出される磁力が全閉磁力未満となったときに警報信号を出力するように構成されており、部材開放の警報信号が出力される。
【００１３】
このように、本発明の不正防止装置は、部材の開放状態を磁力の変化に基づいて検出し、警報信号を出力するように構成される。このような不正防止装置によれば、機械的に全閉状態を作り出すことができないため、セルや金属薄板をガラス扉の隙間から挿入し、あるいは指で検出レバーを押えて全閉状態を偽装するような不正行為を確実に防止することができる。また、本発明の不正防止装置では、二つの部材に設けた磁石の位置の変化を一つの部材に設けた磁気検出器により検出する構成のため、部品点数や配線工数を削減し装置構成を簡明化することができる。従って、本発明によれば、簡明な構成で不正行為に対する抗力を高めた遊技機の不正防止装置を提供することができる。
【００１４】
本発明において、磁気検出部が第１〜第３部材の中間に位置する第２部材に設けられるような構成によれば、既述したパチンコ機等の遊技機において、遊技機本体を構成する第２部材（前枠）に磁気検出器および検出回路を設け、第１部材（外枠）や第３部材（ガラス扉、球皿等）には配線等を必要としない磁石を設けて不正防止装置を構成することができるため、部材間にまたがる配線を削減して不正防止機能を有する遊技機を合理的に構成することができる。また、第１磁石と第２磁石の磁力が異なるような構成によれば、いずれの部材が開放されたかを容易に識別することができる。
【００１５】
なお、警報手段が磁気検出器において検出される磁力に基づいて、第２部材が開放されたと判断されるときに第２部材開放の警報信号を出力し、第１部材が開放されたと判断されるときに第１部材開放の警報信号を出力するような構成によれば、いずれの部材が開放されたかを直ちに判断でき、警報内容に応じて的確な対応（例えば不正入賞のチェックや不正改造の有無の確認）が可能になる。
【００１６】
また、警報手段は、磁気検出器において検出される磁力が、第１磁石、第２磁石および磁気検出器が一列に並んだ直列状態で検出される磁力以上の予め設定された所定磁力を超えたときに、磁力異常の警報信号を出力するような構成によれば、磁石を用いて閉止状態を偽装しようとした場合に磁力異常の警報信号が出力されるため、このような偽装工作を抑制することができ、不正行為に対する抗力をより高めることができる。
【００１７】
さらに、第１部材、第２部材および第３部材には、全閉状態において第１磁石、第２磁石および磁気検出器が一列に並ぶように第１、第２磁石および磁気検出器の取り付け位置が設定されたひと組の磁気検出取付部を、複数ヵ所に設けた構成によれば、第１、第２磁石および磁気検出器からなる磁気検出ユニットの配設位置を適宜（例えば毎月、毎週、毎日）変更することができる。不正行為者は磁気検出ユニットの配設位置を特定しにくくなり、これにより偽装工作を行い難くして、不正行為に対する抗力をさらに高めることができる。
【発明を実施するための最良の形態】
【００１８】
以下、本発明の好ましい実施形態について図面を参照して説明する。図１、図２及び図３に、本発明が適用される遊技機の代表例としてパチンコ機ＰＭの正面図、平面図および前枠を開放した状態の斜視図を示しており、まず、パチンコ機ＰＭの全体構成について概要説明する。
【００１９】
パチンコ機ＰＭは、外郭方形の枠サイズに構成されて縦向きの固定保持枠をなす外枠１の前面側に、外枠１の開口面域に合わせて構成された開閉搭載用の前枠２が互いの正面左側上下に配設されたヒンジ機構３ａ，３ｂに支持されて前方に横開き開閉及び着脱が可能に取り付けられ、正面右側に設けられたダブル錠と称される施錠装置４を利用して外枠１と係合連結された閉鎖状態に保持される。
【００２０】
前枠２の前面側上部には、前枠２の前面域に合わせた方形枠状で中央部に複層ガラスが装着されたガラス扉５が、互いの正面左側に設けられたヒンジ機構７ａ，７ｂにより前方に横開き開閉および着脱が可能に支持され、上述した施錠装置４により前枠２の上部前面を覆う閉鎖状態に保持される。ガラス扉５の背後には遊技盤１０を立設姿勢で収容する収容枠が前枠２と一体的に形成されており、この収容枠に遊技盤１０が着脱可能に収容保持され、常には閉鎖保持されるガラス扉５を透視して前面の遊技領域を視認可能に臨ませている。図１では遊技盤１０について詳細構成の記載を省略しているが、遊技盤１０の前面には上下のレール飾りに囲まれて略円形の遊技領域が区画形成され、この遊技領域に多数本の遊技釘とともに風車や各種入賞具、遊技の進行状況に応じて所定の画像を表示する画像表示装置などの遊技構成部品が取り付けられている。遊技領域の下端部には、入賞具に落入することなく落下した遊技球を遊技盤１０の裏面側に排出するためのアウト口が遊技盤を前後に貫通して設けられている。
【００２１】
前枠２の下部領域には、球皿ユニット６が正面左側に設けられたヒンジ機構７ｂ，７ｃにより前方に横開き開閉および着脱が可能に支持される。球皿ユニット６は、ガラス扉５の背後に位置して前枠２の正面右側に設けられた球皿施錠装置（不図示）により閉鎖保持されており、ガラス扉５を開放した状態においてのみ開閉操作可能になっている。球皿ユニット６に覆われた前枠２の下部領域には、遊技球を発射する遊技球発射装置や、遊技領域に到達することなく戻ってきたファール球を回収するファール球回収通路などが設けられている。前枠２の前面下部には、遊技球の発射操作を行う発射ハンドル８が取り付けられている。
【００２２】
一方、前枠２の裏側には、裏セット盤２０が着脱可能に取り付けられている。裏セット盤２０は、中央に遊技盤１０側の画像制御基板等を前後挿通させる窓口２１ｗを有して外枠１の内寸よりも幾分小型に形成された基枠体２１をベースとして構成される。基枠体２１の各部には、球貯留タンクに貯留された遊技球を流下過程で前後各一列に整列させる整流機構２２、整流機構２２を通って導かれた遊技球を整列状態で待機させる整列待機通路２３、整列待機通路２３に待機された遊技球を所定の入賞条件成立に基づいて払い出す球払出装置２４、及び球払出装置２４から払い出された遊技球をパチンコ機前面側の球皿ユニット６に導く払出通路などからなる賞球機構が設けられる。
【００２３】
また、裏セット盤２０の裏面側の各部には、パチンコ機各部に電力を供給する電源基板３１や球払出装置２４の作動を制御する払出制御基板３２、パチンコ機の作動を統括的に制御する主制御基板３３、画像表示装置の作動を制御する画像制御基板３５、遊技施設のホールコンピュータとの間で球払い出し情報やアラーム情報などの入出力を行うターミナル基板３７などの各種制御基板が取り付けられている。
【００２４】
そして、前枠２に遊技盤が装着固定されて前方から球皿ユニット６およびガラス扉５が閉止され、前枠２の裏面側に賞球機構や各種制御基板が取り付けられた裏セット盤２０が装着固定され、制御基板とパチンコ機各部の電気・電子部品がワイヤーハーネスで接続されて遊技作動可能な遊技機本体が構成され、この遊技機本体が外枠１に閉止施錠されて遊技に供されるように構成される。
【００２５】
このように概要構成されるパチンコ機ＰＭにあって、前枠２に対するガラス扉５の開閉状態、外枠１に対する前枠２（遊技機本体）の開閉状態を監視し、これら（ガラス扉５及び前枠２、これらを総称して「扉」という）が開放されたときに警報信号を出力する不正防止装置ＦＳが設けられている。
【００２６】
不正防止装置ＦＳは、その概略ブロック図を図４に示すように、大別的に、扉の開閉状態を検出する扉開閉検出部５０と、この扉開放検出部５０から入力される検出信号に応じて警報信号を出力する警報部６０とから構成される。なお、警報部６０は、具体的には、裏セット盤２０に取り付けられる制御基板（例えば主制御基板３３）に設けられる。
【００２７】
扉開放検出部５０は、二つの磁石（第１磁石５１、第２磁石５２）と、磁力を検出する磁気検出器５５とからなり、外枠１に前枠２が閉鎖され、前枠２にガラス扉５が閉鎖された全閉状態において外枠１、前枠２、ガラス扉５が前後に重なる重複領域に、第１磁石５１、第２磁石５２及び磁力検出器５５が一列に並んで配設されて構成される。第１磁石５１及び第２磁石５２は永久磁石が用いられ、Ｎ−Ｓの極性が同一方向で揃えられ磁気検出器の検出極性に合わせて配設される。磁気検出器５５は、この検出器が配設された領域の磁力を検出し、検出された磁力（磁界の強さ＝磁束密度）に比例した大きさの検出信号Ｓを出力する。磁気検出器５５は、例えば、ホール素子や磁気抵抗素子（ＭＲ）などを用いて構成される。
【００２８】
図５は、第１実施形態の不正解放防止装置における扉開放検出部５０Ａを模式的に示す平面図である。この扉開放検出部５０Ａにおいては、外枠１に磁力検出器５５、前枠２に第１磁石５１、ガラス扉５に第２磁石５２が配設される。磁気検出器５５により検出される磁力は、磁気検出器５５に対する第１磁石５１および第２磁石５２の配設位置により変化し、これら二つの磁石５１，５２が近接して直列に配設されたときに磁束密度が最大、すなわち検出信号が最大となる。
【００２９】
本実施形態において、第１磁石５１と第２磁石５２は、磁力が等しい同一の磁石を用いた場合を例示し、説明簡明化のため、両磁石の磁力を１とし、磁気検出器５５にいずれか一方の磁石が近接して配設された場合の検出信号Ｓの大きさをＳ1＝１、両方の磁石が近接して直列に配設された場合の検出信号Ｓの大きさをＳ1＝２、第１、第２磁石がともに離れて配設された場合の検出信号Ｓの大きさをＳ1＝０として説明する。
【００３０】
図５(ａ)に示すように、前枠２が外枠１に閉鎖され、ガラス扉５が前枠２に閉鎖された全閉状態では、磁気検出器５５の前方に第１磁石５１と第２磁石５２とが一列に並んで検出列を形成し直列状態で配設される。このため、磁気検出器５５からＳ1＝２の検出信号が出力され、警報部６０に入力される。
【００３１】
図５(ｂ)に示すように、前枠２が外枠１に閉鎖された状態で、ガラス扉５のみが前方に開放されたガラス扉開放状態では、ガラス扉５に取り付けられた第２磁石５２が検出列から離れ、磁気検出器５５の前方に第１磁石５１のみが近接して配設される。このため、磁気検出器５５からＳ1＝１の検出信号が出力され、警報部６０に入力される。
【００３２】
図５(ｃ)に示すように、前枠２とガラス扉５とが一体的に前方に開放された前枠開放状態では、前枠２に取り付けられた第１磁石５１およびガラス扉５に取り付けられた第２磁石５２の両方が磁気検出器５５から離れた状態で配設される。このため、磁気検出器５５からＳ1＝０の検出信号が出力され、警報部６０に入力される。
【００３３】
警報部６０は、磁気検出器５５から入力される検出信号を受容する入力部６１、入力部６１に入力された検出信号Ｓ1と警報部内のメモリ６２に予め設定記憶された比較値とを対比して扉の開放状態を判定する判定部６３、判定部６３における判定結果に基づいて警報信号を出力する出力部６５などから構成される。
【００３４】
具体的には、比較値として第１磁石５１、第２磁石５２および磁気検出器５５が直列状態で検出される磁力未満であるか否かを判定するための全閉比較値Ｓcがメモリ６２に設定されている。この全閉比較値Ｓcは、直列状態で検出される磁力Ｓ1＝２に基づいてＳc＝２とすることもできるが、本実施形態においては、各磁石の磁束密度のばらつきや取り付け位置の誤差等を考慮してＳc＝１．８程度の値を設定している。判定部６３は、入力部６１に入力された検出信号Ｓ1とメモリ６２内の全閉比較値とを対比し、検出信号が全閉比較値未満になったときに扉が開放されたと判断し、出力部６５から扉開放の警報信号が出力される。
【００３５】
出力部６５から出力された警報信号は、ターミナル基板３７を介して遊技施設のホールコンピュータ７１に入力されて当該ホールコンピュータ７１の管理画面上に扉開放のアラームが表示され、あるいは遊技島に設けられた異常報知ランプ７２が点灯または点滅される。またパチンコ機ＰＭにおいて、遊技盤１０やガラス扉５に設けられた装飾ランプ７３が点灯または点滅される。このように、パチンコ機ＰＭにおいてガラス扉５が開放され、あるいは前枠２が開放された場合のいずれにおいても警報信号が出力され、遊技施設の係員は、パチンコ機ＰＭにおいてガラス扉５または前枠２が開放されたことを察知することができる。このような構成の不正防止装置ＦＳでは、ガラス扉５及び前枠２に設けた磁石の位置の変化を外枠１に設けた単一の磁気検出器５５により検出し、その検出信号に基づいて扉の開放状態を警報する構成のため、部品点数や配線工数を削減し装置構成を簡明化することができる。
【００３６】
上記では、検出信号の大きさが全閉比較値未満になったときに扉開放の警報信号を出力する構成を示したが、メモリ６２に第２の比較値を予め設定しておき、検出信号Ｓ1をこの比較値と対比することにより、前枠２全体が開放されたのか、またはガラス扉５のみが開放されたのかを判別して警報を出力するように構成することもできる。前述したように、扉開放検出部５０Ａでは、ガラス扉５のみが開放されたときに磁気検出器５５から検出信号Ｓ1＝１が出力され、前枠２が開放されたときに磁気検出器からの検出信号Ｓ1＝０が出力される。
【００３７】
そこで、全閉比較値として上記Ｓc＝１．８程度の値を設定し、ガラス扉開放比較値としてＳg＝０．９程度の値を設定する。判定部６３は、入力部６１に入力された磁気検出器５５の検出信号Ｓ1とメモリ６２に設定記憶されたこれらの比較値とを対比して扉の開閉状態を判断し、判断結果に応じた警報信号が出力部６５から出力される。
【００３８】
具体的には、検出信号Ｓ1が全閉比較値Ｓc未満であるがガラス扉開放比較値Ｓgよりも大きいとき（Ｓc＞Ｓ1≧Ｓg）に、ガラス扉５のみが開放されたと判断してガラス扉開放の警報信号を出力し、検出信号Ｓ1がガラス扉開放比較値Ｓg未満であるとき（Ｓg＞Ｓ1）に前枠開放の警報信号を出力する。警報信号はターミナル基板３７を介してホールコンピュータ７１に入力され、その表示画面にガラス扉５のみの開放なのか、前枠２の開放なのかが識別可能に表示される。遊技島の異常報知ランプ７２あるいは遊技機の装飾ランプ７３についても同様に識別可能に表示される。
【００３９】
このような構成によれば、いずれが開放されたかを遊技施設の係員が直ちに判断でき、警報内容に応じて的確な対応を取ることができる。例えば、警報信号がガラス扉開放の警報であれば、裏セット盤側のチェックは確認程度として遊技盤１０の盤面、特に入賞具の周辺を入念にチェックすればよく、前枠開放の警報信号であれば、遊技盤側のチェックは確認程度として裏セット盤２０の球払出装置２３や各種制御基板３２，３３，３５等に対する不正改造を入念にチェックすればよい。
【００４０】
次に、第２実施形態の扉開放検出部５０Ｂの模式的な平面図を図６に示しており、この図を参照しながら扉開放検出部５０Ｂについて説明する。本実施形態の扉開放検出部５０Ｂは、前述した第１実施形態の扉開放検出部５０Ａと同様に、パチンコ機の全閉状態において外枠１、前枠２、ガラス扉５が前後に重なる重複領域に、第１磁石５１、第２磁石５２及び磁力検出器５５が一列に並んで配設される構成において同様である。また、警報部６０の基本構成についても同様である。
【００４１】
一方、本実施形態の扉開放検出部５０Ｂでは、第１磁石５１、第２磁石５２及び磁力検出器５５の配設位置が第１実施形態の扉開放検出部５０Ａと異なり、前枠２に磁力検出器５５、磁力検出器５５を挟む後方の外枠１に第１磁石５１、前方のガラス扉５に第２磁石が取り付けられている。また、第１磁石５１と第２磁石５２は、磁力の異なる永久磁石が用いられ、第１磁石の磁力を１、第２磁石の磁力を０．５とし、磁気検出器５５に第１磁石のみが近接配置された場合の検出信号Ｓの大きさをＳ2＝１、第２磁石のみが近接配置された場合の検出信号Ｓの大きさをＳ2＝０．５、両方の磁石が近接して直列配置された場合の検出信号Ｓの大きさをＳ2＝１．５、第１、第２磁石がともに離れて配設された場合の検出信号Ｓの大きさをＳ2＝０として説明する。
【００４２】
図６(ａ)に示すように、前枠２が外枠１に閉鎖され、ガラス扉５が前枠２に閉鎖された全閉状態では、磁気検出器５５を挟んで前後に第１磁石５１と第２磁石５２が一列に並んで検出列を形成し直列状態で配設される。このため、磁気検出器５５からＳ2＝１．５の検出信号が出力され、警報部６０に入力される。
【００４３】
図６(ｂ)に示すように、前枠２が外枠１に閉鎖された状態で、ガラス扉５のみが前方に開放されたガラス扉開放状態では、ガラス扉５に取り付けられた第２磁石５２が検出列から離れ、磁気検出器５５の後方に第１磁石５１のみが近接して配設される。このため、磁気検出器５５からＳ2＝１の検出信号が出力され、警報部６０に入力される。
【００４４】
図６(ｃ)に示すように、前枠２とガラス扉５とが一体的に前方に開放された前枠開放状態では、外枠１に取り付けられた第１磁石５１が検出列から離れ、磁気検出器５５の前方に第２磁石５１のみが近接して配設される。このため、磁気検出器５５からＳ2＝０．５の検出信号が出力され、警報部６０に入力される。
【００４５】
図６(ｄ)に示すように、外枠１に対して前枠２が開放され、さらに前枠２に対してガラス扉５が開放された全開状態では、外枠１に取り付けられた第１磁石５１、およびガラス扉５に取り付けられた第２磁石５２の両方が磁気検出器５５から離れた状態で配設される。このため、磁気検出器５５からＳ2＝０の検出信号が出力され、警報部６０に入力される。
【００４６】
警報部６０のメモリ６２には、第１磁石５１、第２磁石５２および磁気検出器５５が直列状態で検出される磁力未満であるか否かを判定するための全閉比較値Ｓcが予め設定されており、本実施形態においては、各磁石の磁束密度のばらつきや取り付け位置の精度等を考慮してＳc＝１．３５程度の値が設定される。判定部６３は、入力部６１に入力された検出信号Ｓ2とメモリ６２内の全閉比較値とを対比し、検出信号が全閉比較値未満になったときに扉が開放されたと判断し、出力部６５から扉開放の警報信号が出力される。
【００４７】
出力部から扉開放の警報信号が出力されて以降の放置手段については前述した第１実施形態と同様である。このような構成によれば、パチンコ機ＰＭにおいてガラス扉５が開放され、あるいは前枠２が開放された場合のいずれにおいても警報信号が出力され、遊技施設の係員は、パチンコ機ＰＭにおいてガラス扉５または前枠２が開放されたことを察知することができる。また、本実施形態の不正防止装置ＦＳによれば、遊技機本体を構成する前枠２に開閉される外枠１及びガラス扉５に配線を必要としない磁石５１，５２を設け、警報部６０との間で接続配線が必要な磁気検出器５５を前枠２に設けているため、相互にヒンジ連結される部材間にまたがる配線を削減することができる。
【００４８】
以上では、検出信号Ｓ2の大きさが全閉比較値Ｓc未満になったときに扉開放の警報信号を出力する構成を示したが、メモリ６２に第２、第３の比較値を予め設定しておき、検出信号Ｓ2をこれらの比較値と比較することにより、どの部材が開放されたのかを特定して警報を出力するように構成することもできる。前述したように、扉開放検出部５０Ｂでは、扉の開閉状態によって異なる検出信号Ｓ2が磁気検出器５５から出力される。すなわち、全閉状態での検出信号Ｓ2＝１．５に対し、ガラス扉５のみが開放されたガラス扉開放状態では検出信号Ｓ2＝１、前枠のみが開放された前枠開放状態では検出信号Ｓ2＝０．５が出力され、外枠１に対して前枠２が開放され、さらに前枠２に対してガラス扉５が開放された全開状態において検出信号Ｓ2＝０が出力される。
【００４９】
そこで、全閉比較値ＳcとしてＳc＝１．３５程度の値を設定し、ガラス扉開放比較値としてＳg＝０．９程度の値、前枠開放比較値ＳfとしてＳf＝０．４程度の値を設定する。判定部６３は、入力部に入力された磁気検出器５５の検出信号Ｓ2と、これらの比較値とを対比して扉の開閉状態を判断し、判断結果に応じた警報信号が出力部６５から出力される。
【００５０】
具体的には、検出信号Ｓ2が全閉比較値Ｓc未満であるがガラス扉開放比較値Ｓgよりも大きいとき（Ｓc＞Ｓ2≧Ｓg）に、ガラス扉５のみが開放されたと判断してガラス扉開放の警報信号を出力し、検出信号Ｓ2がガラス扉開放比較値Ｓg未満であるが前枠開放比較値Ｓfよりも大きいとき（Ｓg＞Ｓ2≧Ｓf）に前枠２のみが開放されたと判断して前枠開放の警報信号を出力する。また、検出信号Ｓ2が前枠開放比較値Ｓf未満であるとき（Ｓf＞Ｓ2）には、外枠１に対して前枠２が開放され、さらに前枠２に対してガラス扉５が開放された全開状態であると判断して全開警報信号を出力する。警報信号はターミナル基板３７を介してホールコンピュータ７１に入力され、表示画面にはどの部材がどのように開放された状態なのか、識別可能に表示される。遊技島の異常報知ランプ７２あるいは遊技機の装飾ランプ７３についても同様に識別可能に表示される。
【００５１】
このような構成によれば、パチンコ機ＰＭのどの部材が開放されたかを遊技施設の係員が直ちに判断でき、警報内容に応じて的確な対応を取ることができる。例えば、警報信号がガラス扉開放の警報であれば、裏セット盤側のチェックは確認程度として遊技盤１０の盤面、特に入賞具の周辺を入念にチェックすればよく、前枠開放の警報信号であれば、遊技盤側のチェックは確認程度として裏セット盤２０の球払出装置２３や各種制御基板３２，３３，３５等に対する不正改造を入念にチェックすればよい。一方、警報信号が全開警報信号である場合には、遊技盤１０および裏セット盤２０の両方について入念なチェックを行う必要があることが分かる。
【００５２】
以上では、前枠２またはガラス扉５が開放されたときに開放状態を検出して警報する構成について実施形態ごとに説明した。しかしながら、以上の構成のみでは、磁石を用いて扉が開放されていないように閉鎖状態を偽装する偽装行為を招来する恐れがある。すなわち、これまでに説明した不正防止装置では、磁気検出機５５において検出される検出信号Ｓ2あるいはＳ2が全閉比較値Ｓc未満にならないと警報信号が出力されない。そのため、例えば第２実施形態の不正防止装置において、ガラス扉５の前面に第２磁石５２よりも磁力の強い磁石を当てて磁気検出器５５の検出信号を増大させておき、その状態でガラス扉５が開放された場合には、検出信号Ｓ2が全閉比較値Ｓc未満にならず、扉の開放状態を検出できないおそれが生じる。
【００５３】
そこで、不正防止装置ＦＳでは、上記のような偽装行為を防止する機能が併設されている。この偽装防止機能は、磁気検出器５５において検出される磁力（Ｓ1,Ｓ2）が、第１磁石５１、第２磁石５２及び磁気検出器５５が一列に並んだ直列状態で検出される磁力以上の所定磁力を超えたときに、磁力異常の警報信号を出力するように構成される。
【００５４】
具体的には、警報部６０のメモリ６２に、第１、第２磁石５１，５２及び磁気検出器５５が一列に並んだ直列状態で検出される磁力を越えたか否かを判断するための磁力異常の比較値Ｓmが予め設定されている。この磁力異常比較値Ｓmは、各磁石の磁束密度のばらつきや取り付け位置の誤差等を考慮して、上記三者が直列状態で検出される検出信号よりも幾分高めに設定され、例えば、第２実施形態の構成例において、直列状態で検出される検出信号Ｓ2＝１．５に対して磁力異常の比較値Ｓm＝１．８程度に設定される。
【００５５】
判定部６３は、入力部６１に入力された検出信号Ｓ2とメモリ６２内の磁力異常比較値Ｓmとを対比し、検出信号Ｓ2が磁力異常比較値Ｓmを超えたときに、第３の磁石が近接されていると判断して磁力異常の警報信号を出力する。警報信号はターミナル基板３７を介してホールコンピュータ７１に入力され、ホールコンピュータ７１の表示画面には、磁石を用いた不正行為のおそれ恐れがある旨の情報が表示される。遊技島の異常報知ランプ７２あるいは遊技機の装飾ランプ７３についても点灯するランプを変更しあるいは表示態様を変化させることにより同様に識別して表示させることが可能である。従って、このような構成を備えた不正防止装置によれば、磁石を用いて閉止状態を偽装しようとするような偽装工作を抑制することができる。
【００５６】
なお、以上では、第１磁石５１、第２磁石５２および磁気検出機５５からなる検出部５０が、ガラス扉５、前枠２、外枠１の上部中央に、１列に並んで検出列を形成するように配設される構成を例示した。パチンコ機ＰＭでは、ガラス扉５の上縁部内側、前枠２の上部、および外枠１における上枠板の内側に、第１磁石５１、第２磁石５２および磁気検出器５５が前後に位置整合して一列に並んで取り付けられる検出取付部が、複数セット設けられている。例えば、ガラス扉５の上縁部内側にＡ，Ｂ，Ｃ，Ｄ，Ｅの５か所の第２磁石取付部が形成されて第２磁石が着脱可能に取り付けられ、これらの取付部と対応した同一軸上の前枠上部にＡ，Ｂ，Ｃ，Ｄ，Ｅの５か所の磁気検出器取付部が形成されて磁気検出機５５が着脱可能に取り付けられ、さらに同一軸上（図２を参照）の外枠内面にＡ，Ｂ，Ｃ，Ｄ，Ｅの５か所の第１磁石取付部が形成されて第２磁石が着脱可能に取り付けられる。
【００５７】
このような構成によれば、第１磁石５１、第２磁石５２および磁気検出器５５を、同一の検出列（例えば図２におけるＣ列）の各取り付け位置に取り付けることにより、全閉状態において第１磁石５１、第２磁石５２および磁気検出器５５が位置整合して一列に配設され、このように構成される検出部５０の配設位置を、例えば毎月、毎週、毎日等、適宜に変更して設定することができる。このような構成によれば、不正行為者は検出部５０がどこに配設されているか特定することが難しくなり、これが抵抗力となって不正行為に対する抗力を高めることができる。なお、検出部の配設位置は、ガラス扉５、前枠２及び外枠１が前後に重なる重複領域であればよく、例えば、外枠１の右枠板に沿ったパチンコ機ＰＭの右縁側部でもよい。また、第１磁石５１、第２磁石５２および磁気検出器５５を、それぞれスライド移動自在に設けるとともに、任意のスライド位置で固定可能に配設し、検出部５０の配設位置を任意に変更設定可能に構成することもできる。このような構成によれば、検出部５０の配設位置の特定が困難になり不正行為に対する抗力をさらに高めることができる。なお、この場合に、ガラス扉５、前枠２及び外枠１に、例えばスケールのような位置の指標を設けておくことにより、第１磁石５１、第２磁石５２および磁気検出器５５の位置設定を容易化することができる。
【００５８】
なお、以上では、磁気検出器５５として磁力の変化に比例した大きさの検出信号をアナログ出力する単一のセンサを用いた構成を示したが、スイッチ作動する動作点Ｂopの磁力が異なる磁気スイッチを複数用いて磁気検出器を構成し、第１磁気スイッチ及び第２磁気スイッチがともにオンのときに全閉状態、第１スイッチがオンで第２スイッチがオフのときにガラス扉開放状態、第１、第２磁気スイッチがともにオフのときに全開状態であると判定するように構成することもできる。また、実施例では、全閉比較値Ｓｃを磁束密度のばらつきや取付位置の誤差等を考慮して値を略一定に設定した構成を例示したが、例えば、遊技機の電源立ち上げの際に全閉比較値を読み取り、読み取られた値を初期値としてセットするような構成とすることも可能である。
【００５９】
また、遊技機の代表例としてパチンコ機を示したが、例えばアレンジボール機やスロットマシン等の他の形態の遊技機についても同様に適用することができ、第１、第２、第３部材は、全閉状態において重なって配設されるものであれば外枠、前枠、ガラス扉以外の部材、例えば球皿ユニットや裏セット盤等であってもよい。
【図面の簡単な説明】
【００６０】
【図１】本発明が適用される遊技機の代表例として示すパチンコ機の正面図である。
【図２】上記パチンコ機の平面図である。
【図３】前枠を開放した状態で示す上記パチンコ機の斜視図である。
【図４】本発明に係る不正防止装置の概略ブロック図である。
【図５】第１実施形態の扉開放検出部を扉の開放状態(ａ)(ｂ)(ｃ)に応じて模式的に示す平面図である。このうち、(ａ)は前枠が外枠に閉鎖されガラス扉が前枠に閉鎖された全閉状態、(ｂ)は前枠が外枠に閉鎖された状態でガラス扉のみが開放されたガラス扉開放状態、(ｃ)は前枠とガラス扉とが一体的に前方に開放された前枠開放状態である。
【図６】第２実施形態の扉開放検出部を扉の開放状態(ａ)(ｂ)(ｃ)(ｄ)に応じて模式的に示す平面図である。このうち、(ａ)前枠が外枠に閉鎖されガラス扉が前枠に閉鎖された全閉状態、(ｂ)は前枠が外枠に閉鎖された状態でガラス扉のみが開放されたガラス扉開放状態、(ｃ)は前枠とガラス扉とが一体的に前方に開放された前枠開放状態、(ｄ)は外枠に対して前枠が開放され、さらに前枠に対してガラス扉が開放された全開状態である。
【符号の説明】
【００６１】
ＰＭ  パチンコ機（遊技機）
１  外枠（第１部材）
２  前枠（第２部材）
５  ガラス扉（第３部材）
ＦＳ  不正防止装置
５０  扉開閉検出部
（５０Ａ  第１実施形態の扉開放検出部、５０Ｂ  第２実施形態の扉開放検出部）
５１  第１磁石
５２  第２磁石
５５  磁気検出器
６０  警報部
【図１】
2010099142.tif 000003
【図２】
2010099142.tif 000004
【図３】
2010099142.tif 000005
【図４】
2010099142.tif 000006
【図５】
2010099142.tif 000007
【図６】
2010099142.tif 000008